(57)【要約】【課題】装置内の新券の状態を管理して適正な新券のみを出金する。【解決手段】内部に収納された紙幣を搬送路に沿って搬送して投出部へ投出する有価媒体処理装置を、有価媒体を収納する有価媒体収納部と、紙幣を一時保留するための一時保留部と、未使用の紙幣である新券を収納する新券収納部と、新券収納部から繰り出された紙幣の状態を確認して新券として出金可能であるか否かを判定する出金判定部と、新券出金処理時に出金判定部により出金不可と判定された紙幣を一時保留部に収納して、新券出金処理の完了後に、一時保留部に収納された前記紙幣を繰り出して、新券として再利用可能な紙幣は新券収納部に戻し入れると共に新券として再利用できない紙幣を有価媒体収納部に収納する制御部とによって構成する。【選択図】  図２
2014182484.tif 000002
【特許請求の範囲】
【請求項１】
内部に収納された紙幣を搬送路に沿って搬送して投出部へ投出する有価媒体処理装置であって、
有価媒体を収納する有価媒体収納部と、
前記紙幣を一時保留するための一時保留部と、
未使用の紙幣である新券を収納する新券収納部と、
前記新券収納部から繰り出された紙幣の状態を確認して新券として出金可能であるか否かを判定する出金判定部と、
新券出金処理時に前記出金判定部により出金不可と判定された紙幣を前記一時保留部に収納して、前記新券出金処理の完了後に、前記一時保留部に収納された前記紙幣を繰り出して、新券として再利用可能な紙幣は前記新券収納部に戻し入れると共に新券として再利用できない紙幣を前記有価媒体収納部に収納する制御部と
を備えることを特徴とする有価媒体処理装置。
【請求項２】
前記出金判定部は、前記新券収納部から繰り出された紙幣の搬送状態を確認して搬送エラーを検出した場合に前記紙幣は出金不可であると判定することを特徴とする請求項１に記載の有価媒体処理装置。
【請求項３】
前記制御部は、同じ新券が前記出金判定部により出金不可と判定されて前記一時保留部に収納された回数を管理して、前記回数が所定回数に達した場合に新券として再利用できないと判定することを特徴とする請求項１又は２に記載の有価媒体処理装置。
【請求項４】
前記制御部は、前記新券収納部から最初に繰り出された紙幣が前記出金判定部により出金不可と判定されて前記一時保留部に収納される新券出金処理が所定回数連続した場合に、最初に繰り出された前記紙幣は新券として再利用できないと判定することを特徴とする請求項１又は２に記載の有価媒体処理装置。
【請求項５】
前記出金判定部は、前記新券収納部から繰り出された紙幣の画像を取得して、該画像から汚れを検出した場合に前記紙幣は出金不可であると判定して、
前記制御部は、汚れにより出金不可と判定された紙幣は新券として再利用できないと判定する
ことを特徴とする請求項１に記載の有価媒体処理装置。
【請求項６】
前記一時保留部に収納された紙幣の画像を取得する画像取得部
をさらに備え、
前記制御部は、前記画像取得部によって取得された画像から紙幣の汚れを検出して新券としての再利用の可否を判定する
ことを特徴とする請求項１〜４のいずれか１項に記載の有価媒体処理装置。
【請求項７】
前記制御部は、新券として再利用できない紙幣を前記有価媒体収納部に収納したことを装置利用者に報知することを特徴とする請求項１〜６のいずれか１項に記載の有価媒体処理装置。
【請求項８】
紙幣画像を表示して選択するための操作表示部
をさらに備え、
前記制御部は、前記有価媒体収納部に収納された紙幣の画像を前記操作表示部に表示して、装置利用者によって回収対象とする紙幣画像が選択されると、前記有価媒体収納部に収納された紙幣を順次繰り出して、選択された前記紙幣画像に対応する紙幣を前記投出部へ投出しながら回収対象外の有価媒体を前記一時保留部に退避させて、回収対象紙幣の投出完了後に、前記一時保留部に退避させた前記有価媒体を前記有価媒体収納部に戻し入れる
ことを特徴とする請求項６又は７に記載の有価媒体処理装置。
【請求項９】
前記搬送路を搬送される有価媒体の長さを測定する搬送路センサ
をさらに備え、
前記制御部は、前記搬送路センサにより測定された各有価媒体の長さを測定して、所定の長さ以上又は所定の長さに満たない有価媒体を前記投出部へ投出しながら他の有価媒体を前記一時保留部に退避させて、所定の長さ以上の前記有価媒体の投出完了後に、前記一時保留部に退避させた前記有価媒体を前記有価媒体収納部に戻し入れる
ことを特徴とする請求項１〜７のいずれか１項に記載の有価媒体処理装置。
【請求項１０】
前記制御部は、
前記一時保留部から繰り出した紙幣を収納する前記有価媒体収納部が紙幣を収納する紙幣収納部である場合に、
前記一時保留部から繰り出して前記紙幣収納部に収納した紙幣を、前記紙幣収納部の在高を構成する紙幣として管理する
ことを特徴とする請求項１〜９のいずれか１項に記載の有価媒体処理装置。
【請求項１１】
内部に収納された紙幣を搬送路に沿って搬送して出金口から出金する有価媒体処理方法であって、
未使用の紙幣である新券が収納された新券収納部から前記新券を繰り出して搬送する搬送工程と、
前記新券収納部から繰り出されて搬送される紙幣が新券として出金可能であるか否かを判定する新券判定工程と、
新券出金処理時に、前記新券判定工程で出金不可と判定された紙幣を一時保留部に収納する一時保留工程と、
前記新券出金処理の完了後に、前記一時保留部に収納された前記紙幣を繰り出して、新券として再利用可能な紙幣は前記新券収納部に戻し入れると共に新券として再利用できない紙幣を前記新券収納部以外の所定収納部に搬送する収納工程と
を含んだことを特徴とする有価媒体処理方法。
【発明の詳細な説明】
【技術分野】
【０００１】
この発明は、未使用状態の紙幣である新券を出金する有価媒体処理装置及び有価媒体処理方法に関する。
【背景技術】
【０００２】
従来、金融機関等では、指定した金額又は枚数分の紙幣を自動的に出金する紙幣処理装置が利用されている。紙幣処理装置では、収納部から繰り出されて装置外へ投出されるまでの間に、紙幣の金種、真偽及び正損が自動的に識別されて、市場流通可能な紙幣のみが出金される。そして、複数枚の紙幣の一部又は全部が重なった状態で搬送される連鎖や重送等の搬送エラーが発生した場合も、装置外へは投出されずリジェクト紙幣として所定収納部へ収納される。
【０００３】
リジェクト紙幣の中には、搬送エラーによりリジェクトされただけで、紙幣としての利用に問題がないものが含まれている。特許文献１には、このようなリジェクト紙幣を装置内で再利用することができる現金処理装置が開示されている。この装置では、出金時のリジェクト紙幣を一時的に所定収納部に収納する。そして、出金処理完了後に、所定収納部からリジェクト紙幣を繰り出して再鑑別処理を行い、再利用可能であることが確認できた紙幣を再び収納部に戻して利用する。これにより、装置内部で死蔵される無駄な紙幣の枚数を抑制できるようになっている。
【先行技術文献】
【特許文献】
【０００４】
【特許文献１】特開２０１２−１３３７６１号公報
【発明の概要】
【発明が解決しようとする課題】
【０００５】
しかしながら、上記従来技術によれば、未使用状態の紙幣である新券を出金する処理時には不都合が生ずる場合がある。具体的には、新券収納部とリジェクト券が収納される所定収納部との間で繰り出しと戻し入れが繰り返されると、繰出ローラの跡や汚れが付いたり摩耗したりするために新券とは呼べない状態となる。新券を求める顧客にこのような紙幣を出金すると新券ではないとの苦情の原因となってしまう。
【０００６】
本発明は、上述した従来技術による問題点を解消するためになされたもので、再利用可能なリジェクト紙幣を装置内で再利用しながら新券の状態を管理して適正な新券のみを出金することができる有価媒体処理装置及び有価媒体処理方法を提供することを目的とする。
【課題を解決するための手段】
【０００７】
上述した課題を解決し、目的を達成するために、本発明は、内部に収納された紙幣を搬送路に沿って搬送して投出部へ投出する有価媒体処理装置であって、有価媒体を収納する有価媒体収納部と、前記紙幣を一時保留するための一時保留部と、未使用の紙幣である新券を収納する新券収納部と、前記新券収納部から繰り出された紙幣の状態を確認して新券として出金可能であるか否かを判定する出金判定部と、新券出金処理時に前記出金判定部により出金不可と判定された紙幣を前記一時保留部に収納して、前記新券出金処理の完了後に、前記一時保留部に収納された前記紙幣を繰り出して、新券として再利用可能な紙幣は前記新券収納部に戻し入れると共に新券として再利用できない紙幣を前記有価媒体収納部に収納する制御部とを備えることを特徴とする。
【０００８】
また、本発明は、上記発明において、前記出金判定部は、前記新券収納部から繰り出された紙幣の搬送状態を確認して搬送エラーを検出した場合に前記紙幣は出金不可であると判定することを特徴とする。
【０００９】
また、本発明は、上記発明において、前記制御部は、同じ新券が前記出金判定部により出金不可と判定されて前記一時保留部に収納された回数を管理して、前記回数が所定回数に達した場合に新券として再利用できないと判定することを特徴とする。
【００１０】
また、本発明は、上記発明において、前記制御部は、前記新券収納部から最初に繰り出された紙幣が前記出金判定部により出金不可と判定されて前記一時保留部に収納される新券出金処理が所定回数連続した場合に、最初に繰り出された前記紙幣は新券として再利用できないと判定することを特徴とする。
【００１１】
また、本発明は、上記発明において、前記出金判定部は、前記新券収納部から繰り出された紙幣の画像を取得して、該画像から汚れを検出した場合に前記紙幣は出金不可であると判定して、前記制御部は、汚れにより出金不可と判定された紙幣は新券として再利用できないと判定することを特徴とする。
【００１２】
また、本発明は、上記発明において、前記一時保留部に収納された紙幣の画像を取得する画像取得部をさらに備え、前記制御部は、前記画像取得部によって取得された画像から紙幣の汚れを検出して新券としての再利用の可否を判定することを特徴とする。
【００１３】
また、本発明は、上記発明において、前記制御部は、新券として再利用できない紙幣を前記有価媒体収納部に収納したことを装置利用者に報知することを特徴とする。
【００１４】
また、本発明は、上記発明において、紙幣画像を表示して選択するための操作表示部をさらに備え、前記制御部は、前記有価媒体収納部に収納された紙幣の画像を前記操作表示部に表示して、装置利用者によって回収対象とする紙幣画像が選択されると、前記有価媒体収納部に収納された紙幣を順次繰り出して、選択された前記紙幣画像に対応する紙幣を前記投出部へ投出しながら回収対象外の有価媒体を前記一時保留部に退避させて、回収対象紙幣の投出完了後に、前記一時保留部に退避させた前記有価媒体を前記有価媒体収納部に戻し入れることを特徴とする。
【００１５】
また、本発明は、上記発明において、前記搬送路を搬送される有価媒体の長さを測定する搬送路センサをさらに備え、前記制御部は、前記搬送路センサにより測定された各有価媒体の長さを測定して、所定の長さ以上又は所定の長さに満たない有価媒体を前記投出部へ投出しながら他の有価媒体を前記一時保留部に退避させて、所定の長さ以上の前記有価媒体の投出完了後に、前記一時保留部に退避させた前記有価媒体を前記有価媒体収納部に戻し入れることを特徴とする。
【００１６】
また、本発明は、上記発明において、前記制御部は、前記一時保留部から繰り出した紙幣を収納する前記有価媒体収納部が紙幣を収納する紙幣収納部である場合に、前記一時保留部から繰り出して前記紙幣収納部に収納した紙幣を、前記紙幣収納部の在高を構成する紙幣として管理することを特徴とする。
【００１７】
また、本発明は、内部に収納された紙幣を搬送路に沿って搬送して出金口から出金する有価媒体処理方法であって、未使用の紙幣である新券が収納された新券収納部から前記新券を繰り出して搬送する搬送工程と、前記新券収納部から繰り出されて搬送される紙幣が新券として出金可能であるか否かを判定する新券判定工程と、新券出金処理時に、前記新券判定工程で出金不可と判定された紙幣を一時保留部に収納する一時保留工程と、前記新券出金処理の完了後に、前記一時保留部に収納された前記紙幣を繰り出して、新券として再利用可能な紙幣は前記新券収納部に戻し入れると共に新券として再利用できない紙幣を前記新券収納部以外の所定収納部に搬送する収納工程とを含んだことを特徴とする。
【発明の効果】
【００１８】
本発明によれば、新券出金時にリジェクトされた紙幣を装置内部に一時保留して、該新券出金の完了後に、一時保留された紙幣のうち新券出金に再利用可能な紙幣のみを新券収納部に戻し入れるので、新券としての利用に適した状態のよい紙幣のみを新券として出金することができる。
【００１９】
また、本発明によれば、出金される新券は真券かつ正券であることが確実であるため、搬送エラーの発生を検出する簡易な構成で、新券として出金可能であるか否かを判定することができる。
【００２０】
また、本発明によれば、新券収納部から繰り出されて一時保留部に収納された回数が所定回数に達した紙幣は新券として再利用できないと判定されるので、ローラ跡等の汚れがない状態のよい紙幣のみを新券として出金することができる。
【００２１】
また、本発明によれば、新券収納部から最初に繰り出された紙幣が一時保留部に収納される新券出金処理が続いた場合に、この紙幣は新券として再利用できないと判定されるので、最初に繰り出された紙幣の搬送先を監視するだけで、新券としての再利用の可否を判定することができる。
【００２２】
また、本発明によれば、新券収納部から繰り出された紙幣の画像から、ローラ跡等の汚れを検出して新券として出金可能であるか否かを正確に判定できる。また、出金時に汚れが検出された紙幣は新券としての再利用もできないと判定されるので、戻入時の判定処理を省略しながら、新券としての利用に適した状態のよい紙幣のみを新券収納部に収納することができる。
【００２３】
また、本発明によれば、例えば、汚れを判定せず搬送エラーで出金不可と判定された紙幣について、該紙幣を撮像した画像から汚れを検出して新券として再利用可能であるか否かを判定するので、紙幣の状態を正確に判定することができる。
【００２４】
また、本発明によれば、新券としての利用に適さない紙幣が所定の有価媒体収納部に収納されたことを利用者に報知するので、利用者は、この紙幣を装置内又は別の装置で有効に再利用することができる。
【００２５】
また、本発明によれば、新券として再利用できないとして所定の紙幣収納部に収納された紙幣の画像を蓄積しておいて、所定のタイミングで、蓄積した画像を表示部に表示して、利用者が選択した画像に対応する紙幣のみを機外へ投出させることができる。
【００２６】
また、本発明によれば、例えば、新券として再利用できないとして連鎖又は重送の状態で所定の有価媒体収納部に収納された場合に、該有価媒体収納部に収納された紙幣を繰り出して長さを計測し、連鎖又は重送の状態にある紙幣を検出して、検出した紙幣だけを機外へ投出させることができる。また、例えば、破れ等の理由で通常の紙幣より短い紙幣についても同様に機外へ投出させることができるので、収納部に正常な紙幣のみを残して他の紙幣を機外へ投出するといった処理が可能となる。
【００２７】
また、本発明によれば、新券として再利用できないと判定された紙幣を、所定の紙幣収納部に収納して該紙幣収納部の在高を構成する紙幣として管理し、該紙幣を、該紙幣収納部に先に収納されていた他の紙幣と同様に利用することができる。
【図面の簡単な説明】
【００２８】
【図１】図１は、本実施形態に係る有価媒体処理装置を利用して行われる新券出金処理の概要を説明する模式図である。
【図２】図２は、本実施形態に係る有価媒体処理装置の構成概略を説明するための断面模式図である。
【図３】図３は、有価媒体処理装置の搬送路に設置された巻癖補正ユニットの構造を説明する図である。
【図４】図４は、重送や連鎖状態にある新券を新券収納部へ戻し入れる際の分離ローラの動作を説明する図である。
【図５】図５は、ジャムの解除作業時に搬送路の紙幣の存在を報知する方法を説明する図である。
【図６】図６は、有価媒体処理装置の機能を説明するためのブロック図である。
【図７】図７は、有価媒体処理装置で行われる連番指定の新券出金処理を説明する図である。
【図８】図８は、搬送エラーが発生した紙幣と新券収納部に収納される紙幣の関係を説明する図である。
【図９】図９は、新券収納部から最初に繰り出される紙幣の搬送状態から新券としての再利用の可否を判定する方法を説明するフローチャートである。
【発明を実施するための形態】
【００２９】
以下に添付図面を参照して、この発明に係る有価媒体処理装置及び有価媒体処理方法の好適な実施例を詳細に説明する。有価媒体処理装置は、未使用の紙幣である新券、新券ではないが市場流通可能な紙幣である正券、市場流通に適さない紙幣である損券、破れや汚れにより通常の紙幣処理装置では処理できない紙幣である損傷券、小切手等の有価証券等、各種の有価媒体を処理することができる。
【００３０】
まず、本実施形態に係る有価媒体の処理方法概要について説明する。図１は、有価媒体処理装置１で行う新券出金処理の概要を説明する模式図である。有価媒体処理装置１は、新券１００を収納する新券収納部５と、損券や損傷券等の紙幣又は小切手等を含む有価証券など新券１００以外の紙葉類１１２を収納する有価媒体収納部としての紙葉類収納部４１と、新券１００及び紙葉類１１２の種類の識別、枚数計数及び画像取得を行うための識別部３と、識別部３により出金可能と判定された新券１００を装置外へ投出する投出部としての出金口６と、識別部３により出金不可と判定された新券１００を一時的に収納するための一時保留部２と、各部の間で新券１００及び紙葉類１１２を搬送する搬送路４とを有している。図１では新券収納部５及び紙葉類収納部４１をそれぞれ１つずつ示しているが、収納する新券１００及び紙葉類１１２の種類に応じて複数の新券収納部５及び紙葉類収納部４１が利用される。また、識別部３は、搬送路４を搬送される新券１００の搬送状態を認識して新券として出金可能であるか否かを判定する出金判定部としての機能も有している。
【００３１】
新券出金時には、図示しない操作表示部を操作して、出金する新券１００の金種と枚数又は金額とが指定される。これを受けた有価媒体処理装置１では、対応する新券収納部５から指定された量の新券１００が、１枚ずつ、図１（ａ）の搬送路４に矢印で示したように繰り出される（Ａ−１）。新券１００は、搬送路４に沿って識別部３へ向けて搬送される。
【００３２】
識別部３では、新券１００の出金判定が行われる（Ａ−３）。例えば、複数枚の新券１００の一部又は全部が重なった状態で搬送される連鎖や重送等、搬送エラーが発生しているか否かが判定される。なお、新券１００は完封券と呼ばれる紙幣を金種別に新券収納部５に収納したものであり、新券出金処理開始時に指定された金種の新券かつ正券であることは確実である。このため、新券出金時には、指定された金額又は枚数の新券１００を出金するための計数処理と、出金可能であるか否かを判定する最低限の処理として搬送エラーを検出する出金判定処理とを行えばよい。
【００３３】
ただし、出金判定処理がこれに限定されるものではなく、識別部３が新券１００の画像を取得する機能を有する場合には、画像から新券１００の汚れの状態を検出して、汚れを検出した場合に出金不可と判定する態様であってもよい。紙幣画像から汚れを判定すれば、新券１００として出金可能であるか否かを正確に判定することができる。なお、紙幣画像に基づいて汚れを判定する方法については後述する。
【００３４】
識別部３により出金可能であると判定された新券１１０ｃは、搬送路４に沿って搬送されて出金口６から出金される（Ａ−３）。出金口６へ出金された新券１００の枚数が、先に指定された枚数又は指定された金額分に相当する枚数となるまで、新券収納部５から新券１００を繰り出して出金口６へ投出する処理が繰り返される。
【００３５】
一方、識別部３で出金不可と判定された新券１１０a、１１０ｂは、リジェクト紙幣として一時保留部２へ収納される（Ａ−４）。例えば、重送状態で搬送された２枚の新券１１０a、１１０ｂが、リジェクト紙幣として一時保留部２へ収納される。
【００３６】
必要な量の新券１１０ｃを出金口６へ出金して新券出金処理が完了すると、続いて、図１（ｂ）に示すように、一時保留部２の新券１１０a、１１０ｂを繰り出して新券収納部５へ戻し入れる処理が開始される。まず、一時保留部２に収納された新券１１０a、１１０ｂが一枚ずつ搬送路４に繰り出される（Ｂ−１）。
【００３７】
新券１１０a、１１０ｂは、搬送路４によって識別部３に搬送される。そして、識別部３で新券判定条件を満たすか否かを判定する処理が行われる（Ｂ−２）。新券判定条件は新券として利用可能であるかを判定するための条件で、新券として利用可能である場合には条件を満たすと判定されて、新券として利用できない場合には条件を満たさないと判定される。
【００３８】
判定の結果、一時保留部２から繰り出された新券１１０aが、新券として再利用できる状態である場合には、新券判定条件を満たすものとして新券収納部５へ戻して収納される（Ｂ−３）。一方、一時保留部２から繰り出された新券１１０ｂが、新券として再利用できない状態である場合には、新券判定条件を満たさないと判定される。そして、この紙幣は、未使用ではあるが新券としては利用できない新古券として紙葉類収納部４１に収納される（Ｂ−４）。新券として利用できない状態とは、装置内で繰り出しや搬送を繰り返したために、搬送ローラの跡や汚れが付着したり紙幣の一部が摩耗したりしたような場合である。
【００３９】
新券判定条件では、例えば、新券１００の繰り出し及び戻し入れの回数が制限される。出金口６へ出金されずに一時保留部２へ収納されて、その後に新券収納部５へ戻し入れられる回数が所定回数に達した新券１００は、新券判定条件を満たさない新古券とされる。
【００４０】
具体的には、新券収納部５から最初に繰り出された新券１００が一時保留部２へ搬送される新券出金処理が３回連続した場合に、この新券１００は新券判定条件を満たさないと判定される。新券収納部５では、収納された紙幣のうち一番上の紙幣から順に搬送路４に繰り出される。また、識別部３を経て一時保留部２に収納された紙幣は、一時保留部２への収納時とは逆の順で繰り出される。このため、新券出金処理を開始して、一番上にある１枚目の新券１００が出金不可紙幣として一時保留部２にリジェクトされると、この１枚目の紙幣は、一時保留部２の紙幣を新券収納部５へ戻し入れた際に再び新券収納部５の一番上に収納される。すなわち、１枚目の紙幣が出金不可とされる新券出金処理が３回連続した場合には、同じ紙幣が３回連続してリジェクトされたことを意味している。よって、出金処理を行う度にリジェクトされる１枚目の紙幣を、新券判定条件を満たさないものと判定するものである。
【００４１】
この他にも、例えば、記番号を利用して新券判定条件を判定することもできる。例えば、識別部３により新券１００の記番号を読み取って、リジェクトされた回数を記番号毎に管理する。そして、リジェクト回数が所定回数に達した記番号が発生すると、この記番号を有する紙幣は新券判定条件を満たさないと判定する。なお、記番号を認識する処理は、新券収納部５からの繰り出し時又は一時保留部２からの戻し入れ時に行われる。記番号を利用すれば、複数枚の各紙幣についてリジェクト回数を正確に管理することができる。
【００４２】
また、新券１００の状態を新券判定条件として設定することもできる。例えば、識別部３により新券１００の反射画像及び透過画像を取得して、画像から汚れを判定する。具体的には、汚れを数値化して、この数値が、新券判定条件として予め設定された所定しきい値を超えた場合に新券判定条件を満たさないと判定する。
【００４３】
例えば、出金時には、搬送エラーのみに基づいて出金可否を判定する場合でも、新券収納部５０への戻し入れ時に紙幣画像から汚れの状態を判定すれば、繰り出し及び戻し入れの回数によらず、汚れた紙幣を新券１００として再利用しないように管理することができる。なお、この場合には、識別部３が画像取得機能を有する態様に限定されず、識別部３は簡易な構成で搬送エラーの判定のみを行って、有価媒体処理装置１の有する他のユニットによって紙幣画像を取得する態様であってもよい。紙幣画像を取得するタイミングは、新券収納部５からの繰り出し時又は一時保留部２からの戻し入れ時のいずれであってもよいが、取得した紙幣画像を出金判定に利用する場合には、出金口６に近い位置に識別部３を配置して出金直前に汚れの判定を行うことが望ましい。
【００４４】
紙幣画像に基づいて行う汚れの判定は、例えば、判定対象とする新券１００を撮像した画像と、完封券を撮像した画像との差分画像を生成して行う。この差分画像に含まれる画素数や画素値が、判定条件として予め設定されたしきい値を越える場合に判定条件を満たさないと判定する。ローラ跡や汚れがあれば、差分画像で、完封券とは異なる位置に画素が表れる。また、例えば、白地に汚れが付着した場合に、汚れの色が濃いほど差分画像での画素値が小さく（暗く）なる。このため、差分画像の画素数及び画素値から汚れの状態を判定することができる。
【００４５】
なお、紙幣の汚れの判定については、図示しない操作表示部を利用して、紙幣の状態を目視確認する態様であっても構わない。例えば、処理対象紙幣を撮像した画像を、完封券の画像と比較可能に表示して、汚れている可能性がある領域を自動検出して拡大表示すれば、目視確認により、新券としての出金可否を判定する出金判定処理を行ったり、新券判定条件を満たすか否かを判定したりすることができる。この場合、有価媒体処理装置１の利用者が目視確認して入力した結果を、出金判定の判定結果又は新券判定条件の判定結果として利用する。
【００４６】
新券判定条件を満たさないと判定されて紙葉類収納部４１に収納された新古券は、真券かつ正券であり、市場で利用可能な紙幣として再利用することができる。このため、有価媒体処理装置１では、紙葉類収納部４１に収納された新古券の存在を、操作表示部への情報表示や音及び光によって装置利用者に報知する。新古券の存在を認識した利用者は、新古券を紙葉類収納部４１から出金口６へ投出させて別の貨幣処理装置で利用したり、装置内に収納された他の紙幣と同様に装置内で利用したりすることができる。
【００４７】
例えば、有価媒体処理装置１が、新券、損券、損傷券、小切手等を処理する専用の装置で、市場流通する紙幣の入出金処理に利用されていない場合には、新古券を出金口６へ投出させて、他の装置で利用する。また、有価媒体処理装置１が、市場流通する紙幣を入出金する装置で、新古券に対応する紙幣収納部を有している場合には、該紙幣収納部へ新古券を収納して、他の紙幣と同様に、紙幣収納部の在高を構成する紙幣として利用することができる。
【００４８】
次に、図１に示した新券出金処理を実現するための有価媒体処理装置１の詳細について説明する。図２は、本実施形態に係る有価媒体処理装置１の構成を説明するための断面模式図である。なお、図２では、図面左側の側面が有価媒体処理装置１の前面となっており、図面右側の側面が有価媒体処理装置１の背面となっている。
【００４９】
図２に示すように、有価媒体処理装置１には、有価媒体を機体内に投入するための投入部１０、及び機体内に収納された新券等を機体外に投出するための投出部６０が設けられている。有価媒体とは、損券、旧券、損傷券等を含む紙幣と、紙幣以外の特定の有価証券とを含むものである。また、以下で述べる特定の有価証券とは、小切手や手形等、予め設定された種類の有価証券のことをいう。投入部１０や投出部６０は、有価媒体処理装置１の機体前面（図２における左側の側面）に設けられている。投入部１０には繰出機構１２が設けられており、操作員によって投入部１０に束状態で投入された有価媒体は、繰出機構１２により１枚ずつ機体内に繰り出されるようになっている。また、図２に示すように、有価媒体処理装置１の機体内には紙幣搬送部１４が設けられており、投入部１０から繰出機構１２により１枚ずつ繰り出された有価媒体は、紙幣搬送部１４により１枚ずつ搬送されるようになっている。
【００５０】
また、繰出機構１２下流の紙幣搬送部１４には紙幣識別部１６が設けられている。紙幣識別部１６は、有価媒体処理装置１の機体内で有価媒体を撮像して画像を取得する画像取得部としての機能を有している。また、紙幣識別部１６は、取得した画像に基づいて、紙幣の金種、真偽及び正損の識別、紙幣記番号の文字認識、小切手の小切手番号及び小切手金額の文字認識等を行う機能も有している。
【００５１】
有価媒体処理装置１内には一時保留部２０が設けられており、入金処理時には、有価媒体処理装置１の機体内に投入された有価媒体が一時保留部２０に一時的に保留されるようになっている。一時保留部２０は、有価媒体をテープに挟んで巻き取るテープ巻取方式のものである。より具体的には、一時保留部２０は、正逆両方向に回転可能なドラム２０ａを有しており、このドラム２０ａによって一対のテープを巻き取ったり送り出したりすることができる。紙幣搬送部１４から一時保留部２０に送られた有価媒体は、一対のテープの間に挟まれた状態で１枚ずつ順次ドラム２０ａに巻き取られて収納される。また、ドラム２０ａを逆転させると、巻き取られた有価媒体が１枚ずつ繰り出されて、紙幣搬送部１４に送り出される。
【００５２】
有価媒体処理装置１の機体内には、小切手や手形等の特定の有価証券を収納する特定有価証券収納部３０と、損券や旧券等の収納する損券収納部４０、４２とがそれぞれ設けられている。より具体的には、特定有価証券収納部３０は、第１の収納部３０ａ、第２の収納部３０ｂ及び第３の収納部３０ｃの３つの収納部から構成されており、有価証券の種類に応じて分類収納できるようになっている。特定有価証券収納部３０の各収納部３０ａ、３０ｂ及び３０ｃは集積方式の収納部であり、紙幣搬送部１４からこれらの収納部３０ａ、３０ｂ及び３０ｃに送られた小切手等は、既に収納部３０ａ、３０ｂ、３０ｃに収納されている小切手等の上に積み重ねられるようにして収納される。
【００５３】
損券収納部４０、４２には、損券、旧券及び損傷券が収納される。損券収納部４０は集積方式の収納部であり、紙幣搬送部１４から損券収納部４０に送られた損券等は、既に損券収納部４０に収納されている損券等の上に積み重ねられるようにして収納される。一方、損券収納部４２はテープ巻取方式の収納部である。損券収納部４２は、一時保留部２０と同様に、正逆両方向に回転可能なドラム４２ａを有している。そして、紙幣搬送部１４から損券収納部４２に送られた損券等は、この一対のテープの間に挟まれた状態で１枚ずつ順次ドラム４２ａに巻き取られて収納される。また、ドラム４２ａを逆転させると、巻き取られた損券等が１枚ずつ繰り出されて、紙幣搬送部１４に送出される。
【００５４】
損券収納部４２から繰り出された紙幣の巻癖を補正するため、損券収納部４２近傍の搬送路上には、巻癖補正ユニット６５が設けられている。図３は、巻癖補正ユニット６５の構造概略を説明する図である。巻癖補正ユニット６５は大小２つのローラ６５ａ、６５ｂから形成され、紙幣搬送部１４による搬送紙幣が、図面奥方向に長い円筒形状の２つのローラ６５ａ、６５ｂの間を通過するように設けられている。小さい方のローラ６５ａは金属製又は硬質樹脂製であり、大きい方のローラ６５ｂはゴム製又は外周部分にゴム等が巻き付けられた構造を有している。２つのローラ６５ａ、６５ｂは、それぞれの直径をｄ及びＤとした場合に、軸間Ｌがローラ径の和（ｄ＋Ｄ）よりも小さくなるように設置されている。すなわち、２つのローラ６５ａ、６５ｂの接触面では、小さい方のローラ６５ａ表面によって大きい方のローラ６５ｂ表面が陥没した状態となっている。この状態で、２つのローラ６５ａ、６５ｂの間を通過させることにより、収納部４２に収納された紙幣の巻癖を補正することができる。
【００５５】
巻癖の補正度合いは、ローラ６５ａ、６５ｂを通過させる速度及び回数によって制御することができる。高速搬送すれば補正度合いが大きくなり、低速搬送すれば補正度合いが小さくなる。また、ローラ６５ａ、６５ｂの間を往復搬送させて、ローラ間を通過する回数を増やすほど補正度合いが大きくなる。補正しすぎると、収納部４２による巻癖とは反対側に巻癖が付いてしまうので、巻癖補正ユニット６５を通過する搬送速度及び搬送回数は、巻癖の状態に応じて設定される。収納部４２に収納されている期間が長いほど巻癖が強くなり、ドラム４２ａに巻き取られていた際の径方向の位置がドラム４２ａの回転軸に近いほど巻癖が強くなる。また、紙幣の紙質等によっても巻癖の付き方が変わる。このため、有価媒体処理装置１では、ドラム４２ａ上での収納位置及び収納期間と、巻癖補正対象となる紙幣の紙質とに応じて設定された搬送速度及び搬送回数が、設定情報として記憶部８（図６参照）に保存されている。制御部７（図６参照）は、この設定情報に基づいて巻癖補正を行うことにより、各紙幣の状態に応じて巻癖を適切に補正することができる。
【００５６】
有価媒体処理装置１では、図２に示すように、小切手等の特定の有価証券を収納する特定有価証券収納部３０が、損券や旧券を収納する損券収納部４０、４２の上方に設けられている。また、一時保留部２０は、特定有価証券収納部３０や損券収納部４０、４２の上方に設けられた構造となっている。
【００５７】
また、有価媒体処理装置１の機体内には、新券１００を収納する新券収納部５０が設けられている。より具体的には、新券収納部５０は、第１の収納部５０ａ、第２の収納部５０ｂ、第３の収納部５０ｃ及び第４の収納部５０ｄからなる４つの収納部から構成されている。例えば、第１の収納部５０ａには１万円札の新券１００が、第２の収納部５０ｂには千円札の新券１００が、第３の収納部５０ｃには五千円札の新券１００がそれぞれ収納される。また、第４の収納部５０ｄに収納される新券１００の金種については操作員が選択できるようになっている。これらの各収納部５０ａ、５０ｂ、５０ｃ、５０ｄにはそれぞれ収納繰出機構５２ａ、５２ｂ、５２ｃ、５２ｄが設けられており、収納部５０ａ、５０ｂ、５０ｃ、５０ｄに収納されている新券１００を紙幣搬送部１４に１枚ずつ繰り出したり、紙幣搬送部１４によって搬送された新券１００を内部に収納したりすることができる。新券出金時には、指定された新券１００の金種に対応する新券収納部５０ａ〜５０ｄから新券１００が出金される。
【００５８】
また、各新券収納部５０ａ〜５０ｄには、対向する２個のローラを異なる速度で回転可能な分離ローラ６６ａ〜６６ｄが設けられている。分離ローラ６６ａ〜６６ｄは、新券出金時には、上側のローラが図２上で時計回りに、下側のローラが反時計回りに、等速度で回転して新券１００を繰り出す。これに対して、新券出金処理の完了後に、出金不可紙幣として一時保留部２０に収納された新券１００を、新券収納部５０へ戻し入れる際には、新券１００の状態によって、上下の各ローラを異なる速度で回転させる。
【００５９】
図４は、新券１００を戻し入れる際の分離ローラ６６ａ〜６６ｄの動作を説明する図である。図４（ａ）に示すように、戻し入れる新券１０１が１枚の状態である場合には、上側のローラを反時計回りに、下側のローラを時計回りに、等速度で回転して新券１０１を新券収納部５０に戻し入れる。一方、図４（ｂ）に示すように、２枚の新券１０２、１０３が、重なった状態で搬送されている場合には、上下の各ローラを異なる速度で回転させることにより、２枚の新券１０２、１０３の送り速度を異なる速度とする。具体的には、上側のローラの回転速度よりも下側の回転速度を高速にする。これにより、２枚の新券１０２、１０３が密着している場合に、これらを同じ方向に送りながら、上側の新券１０３よりも下側の新券１０２の単位時間当たりの送り量を大きくして、上側の新券１０３から下側の新券１０２を分離して新券収納部５に戻し入れることができる。
【００６０】
新券出金時に２枚の紙幣が密着した重送状態にあるために出金不可としてリジェクトされた新券１０２、１０３は、新券出金処理の完了後に、新券収納部５０に戻し入れられるが、２枚の新券１０２、１０３が密着していると、次の新券出金時にも、再び重送状態のまま繰り出される可能性がある。このため、新券収納部５０への戻し入れ時に、重送状態にある２枚の新券１０２、１０３の送り速度を上下で異なる速度とすることで密着状態を解除する。これにより、次回の新券出金時に再び重送状態に繰り出されることを防止する。
【００６１】
なお、新券収納部５０には、中央銀行から銀行等の金融機関に配送され、未だ市場流通していない未使用の官封券が収納される。新券収納部５０は、図２に示すように、特定有価証券収納部３０や損券収納部４０の機体前方（図２における左側）に設けられている。有価媒体処理装置１の前面（図２における左側の側面）には扉１８が設けられており、特定の権限を有する者が扉１８を開けて有価媒体処理装置１の機体内部にアクセスできるようになっている。この扉１８を開くことにより新券収納部５０に新券１００を補充したり新券収納部５０から新券１００を取り出したりすることができる。
【００６２】
投出部６０は紙幣搬送部１４に接続されており、紙幣搬送部１４によって搬送された新券等の有価媒体は、搬送路１４ｃから、当該投出部６０に積み重ねるようにして投出される。具体的には、投出部６０には羽根車６２が設けられており、搬送路１４ｃから羽根車６２に送られた新券等の有価媒体は、羽根車６２を形成する一対の羽根の間に挟まれた状態で当該羽根車６２が図２で反時計回りの方向に回転することにより、投出部６０に送られる。羽根車６２が設けられていることにより、投出部６０に集積される新券等の有価媒体を整列させることができる。一方、搬送方向に長い小切手等の有価媒体は、羽根車６２へと向かう搬送路１４ｃの上側に設けられた別の搬送路１４ｄから投出部６０へ投出される。搬送方向のサイズが大きいために、有価媒体の後端が搬送路１４ｃのローラの間に挟まれた状態で、先端が羽根車６２に挟まれて回転すると、有価媒体が破れてしまう。このため、搬送方向に長い有価媒体は、羽根車６２からの距離が離れた搬送路１４ｄを経て投出部６０に投出される。なお、投入部１０に投入された媒体が小切手等の所定以上の長さを有する有価媒体であり、これらの有価媒体が識別部１６にてリジェクト判定された場合も、同様に搬送路１４ｄから投出部６０へリジェクトされる。また、投出部６０にはシャッタ６１ａが設けられており、操作員は、このシャッタ６１ａが開放状態となったときに、投出部６０に集積された新券等の有価媒体を取り出すことができる。また、投出部６０には抜き取り検知部６１ｂが設けられており、投出部６０に集積された新券等の有価媒体が当該投出部６０から抜き取られたことを検知できるようになっている。
【００６３】
図２に示すように、有価媒体処理装置１の機体内で新券等を搬送する紙幣搬送部１４は、第１の搬送路１４ａ及び第２の搬送路１４ｂを含む構成となっている。第１の搬送路１４ａは、投入部１０から機体内に投入された有価媒体を、一時保留部２０、特定有価証券収納部３０、損券収納部４０に向けて搬送するものである。一方、第２の搬送路１４ｂは、新券収納部５０に収納された新券１００を投出部６０に向けて搬送するものである。第１の搬送路１４ａと第２の搬送路１４ｂとは互いに独立して設けられている。すなわち、第１の搬送路１４ａは図２に示す仮想線Ｌの右側に設けられており、第２の搬送路１４ｂは仮想線Ｌの左側に設けられている。第１の搬送路１４ａ及び第２の搬送路１４ｂは、接続箇所１４ｐで接続されているが、それ以外の箇所では互いに独立したものとなっている。このように、有価媒体処理装置１は、新券収納部５０を接続する第２の搬送路１４ｂを第１の搬送路１４ａから独立させて、新券１００の搬送時に汚れが付着する可能性を最小限に留める構造となっている。
【００６４】
紙幣搬送部１４には、搬送路の分岐部を含む複数個所に、有価媒体の存在を検知するための搬送路センサが設けられている。図２では、第１の搬送路１４ａで、テープ巻取方式の損券収納部４２近傍に設けられた搬送路センサ６７を示している。搬送路センサ６７は、搬送路１４ａを搬送される有価媒体の存在を検知する他に、有価媒体を搬送する速度及び有価媒体が通過する時間から有価媒体の長さを測定するために利用される。
【００６５】
第２の搬送路１４ｂには簡易識別部６４が設けられている。簡易識別部６４は、新券収納部５０から第２の搬送路１４ｂに繰り出された新券１００を計数すると共に搬送エラーの発生を検出する機能を有している。図５は、簡易識別部６４を、搬送路１４ｂの上方から見た図である。簡易識別部６４は、内部に透過型フォトセンサ１５を備え、新券１００を透過する透過光の計測結果から、複数枚の新券１００の一部又は全部が重なった状態で搬送されているか否かの判定と、搬送される新券１００の搬送方向の長さの判定とを行う機能を有している。また、他の紙葉類が混入したり紙幣が破れたりしたような場合でも、正常な新券１００ではないとの判定を行うことができる。すなわち、簡易識別部６４は、複数枚の新券１００の一部又は全部が重なって連鎖や重送等の状態で搬送されている場合には、搬送エラーが発生しているために新券として出金できないと判定する出金判定部としての機能を有している。
【００６６】
簡易識別部６４の透過型フォトセンサ１５は、新券１００に向けて光を照射する投光部と、投光部から新券１００を透過して到達した光を受光する受光部とによって構成されている。有価媒体処理装置１では、透過型フォトセンサ１５の投光部を、装置内のジャム解除に利用する。
【００６７】
有価媒体処理装置１では、搬送路上でジャムが発生すると、利用者にこれを報知する。報知を受けた利用者は、ジャムの原因となった紙幣と回収できずに搬送路上に残っている紙幣とを取り除いて、装置を復旧する作業を開始する。有価媒体処理装置１では、扉１８を開いて、図２に示す全てのユニットを前方（図面左側）へ引き出せるようになっている。筐体から、内部のユニットを前方に引き出した状態で、搬送路１４ａ〜１４ｄを目視確認して紙幣を取り除く作業を行う。簡易識別部６４では、図５に示すように内部に新券１００がある場合でも、これを外部から目視確認することができない。このため、ジャム解除時に、簡易識別部６４内部に新券１００がある場合には、透過型フォトセンサ１５の投光部を利用して利用者にこれを報知する。なお、投光部は、簡易識別部６４の内部に設けられているが、図５に示す矢印の方向から投光部の点灯を目視確認できる。投光部を点滅させたり、点滅速度を変更したりすることによりジャムの状況を利用者に報知する。
【００６８】
具体的には、ジャム解除の作業が開始された際に、透過型フォトセンサ１５の検出信号から簡易識別部６３内部に新券１００があることを検知した制御部７は、透過型フォトセンサ１５の投光部を高速点滅させて利用者にこれを報知する。
【００６９】
また、図５に示すように、有価媒体処理装置１では、搬送される新券１００の位置を検出するための搬送路センサ６８ａ、６８ｂが、搬送路１４ｂ上の各部に設けられている。制御部７は、これらの搬送路センサ６８ａ、６８ｂの位置に紙幣があるか否かを検知して、簡易識別部６４から近い位置にある搬送路センサ６８ａで紙幣が検出された場合には、簡易識別部６４内部に新券１００がある場合に比べて遅い速度で投光部を点滅させる。また、簡易識別部６４から遠い位置にある搬送路センサ６８ｂで紙幣が検出された場合には、さらに遅い速度で投光部を点滅させる。すなわち、投光部の点滅速度を３段階に分けて、簡易識別部６４に近いほど高速に点滅させることにより、利用者に取り除くべき紙幣が存在する搬送路上の位置を報知する。そして、透過型フォトセンサ１５及び搬送路センサ６８ａ、６８ｂによって検知された紙幣が全て取り除かれると、投光部が消灯してこれを利用者に報知する。
【００７０】
図６は、有価媒体処理装置１の機能を説明するためのブロック図である。有価媒体処理装置１は、図２〜図５で説明した以外に、制御部７による動作に利用するデータが保存された記憶部８と、制御部７への指示操作及び制御部７による各種情報の表示に利用される操作表示部９とを有している。上述した有価媒体処理装置１の各機能及び動作は、制御部７が、紙幣搬送部１４、紙幣識別部１６、一時保留部２０、損券収納部４２、簡易識別部６４、新券収納部５０等の各部の機能及び動作を制御することによって実現されている。
【００７１】
有価媒体処理装置１によって行われる新券出金処理の一例について説明する。図７は、連続した記番号を有する複数枚の新券１００を出金する連番指定の新券出金処理について説明する図である。利用者が、操作表示部９を操作して連番指定の新券出金処理を開始すると、操作表示部９には、各金種で連番出金可能な紙幣枚数が表示される。利用者は、連番出金可能な紙幣枚数を確認して、操作表示部９により、出金する新券１００の金種及び枚数を指定する。
【００７２】
図７（ａ）左図に示すように、新券収納部５０には１００枚単位で記番号が連続した新券１００が収納されている。制御部７は、１００枚毎の新券１００のうち一番上の新券１００の記番号を管理している。
【００７３】
新券収納部５０には、１００枚を１束とする完封券を解いた新券１００が１００枚単位で補充される。制御部７は、補充時に、補充した新券１００の一番上の記番号、すなわち１００枚の新券１００で連続する記番号のうち番号が最も小さい記番号の入力を指示する情報を操作表示部９に表示する。利用者が、操作表示部９を操作して記番号を入力すると、制御部７がこの記番号を記憶部８に保存して管理する。
【００７４】
例えば、図７（ａ）左図の例では、連続した記番号を有する新券１００が１００枚毎に、３束分収納されているが、１００枚目の新券１００と１０１枚目の新券、２００枚目の新券と２０１枚目の新券では、記番号が連続していない。この場合に、連番指定の新券出金処理を開始すると操作表示部９には、記番号が連続した１００枚分の新券１００を出金可能であることが表示される。
【００７５】
表示を確認した利用者が、操作表示部９を操作して、７０枚の新券出金を指示すると、制御部７は、新券収納部５０からの新券１００を繰り出して、図７（ａ）左図に示すように一番上から７０枚の新券１００を投出部６０に出金する。そして、出金を終了すると、制御部７は、投出部６０のシャッタ６１ａを開いて、利用者に、新券１００の取り出しを促す。
【００７６】
こうして、７０枚の新券出金を完了すると、図７（ａ）右図に示すように、上から３０枚の新券１００が連続した記番号を有し、その下には、また１００枚単位で連続した記番号を有する新券１００が収納された状態となる。
【００７７】
この状態から連番指定で４０枚分の新券出金が指示された場合に、新券収納部５０の一番上から４０枚分の新券１００を出金すると、３０枚目迄の紙幣と３１枚目以降の紙幣との間で記番号が連続しないものになってしまう。このため、制御部７は、まず、新券収納部５０の一番上から３０枚分の新券１００を一時保留部２０に搬送して収納する。続いて、制御部７は、図７（ｂ）左図に示すように、一時保留部２０に３０枚の新券１００を退避させた状態で、３１枚目から連続した記番号を有する４０枚の新券１００を出金する。
【００７８】
そして、連番で４０枚の新券出金を完了すると、制御部７は、一時保留部２０に収納された新券１００を繰り出して、新券収納部５０に戻し入れる処理を行う。この結果、図７（ｂ）右図に示すように、上から３０枚の新券１００が連続した記番号を有し、その下には６０枚の新券１００が連続した記番号を有し、さらにその下には連続した記番号を有する１００枚の新券１００が収納された状態となる。
【００７９】
なお、記番号に関連する新券出金処理については、連番指定以外に、番号指定出金を行うことも可能である。制御部７は、新券収納部５０に収納されている新券１００の記番号を管理しているので、出金可能な新券１００の記番号を操作表示部９に表示することができる。利用者が、操作表示部９を操作して出金したい記番号を指定すれば、この記番号を有する新券１００のみが出金される。この場合、出金対象外の新券１００を一時保留部２０等の他の収納部へ退避させて、指定された記番号の新券１００のみを投出部６０へ投出する。なお、新券１００を出金した際、制御部７は、出金した新券１００の記番号に基づいて、管理する記番号情報を更新する。
【００８０】
次に、図２〜図６に示す構成を有する有価媒体処理装置１によって行われる本実施形態に係る新券出金処理について説明する。具体的には、図１を参照しながら説明した新券出金処理のうち、新券収納部５０で一番上に収納されている新券１００の搬送先を監視することにより、新券としての利用に適さない紙幣が新券として出金されることを回避する処理の詳細について説明する。
【００８１】
図８は、搬送エラーが生じた際の、新券１００の戻し入れの処理を説明する図である。有価媒体処理装置１で、操作表示部９により、出金する新券１００の金種と金額又は枚数とが指定されると、図８（ａ）に示すように、制御部７が、新券収納部５０から新券１００を繰り出して紙幣搬送部１４による搬送を開始する。有価媒体処理装置１では、新券収納部５０に集積された新券１００が一番上から順に繰り出される。
【００８２】
繰り出された新券１００は、まず簡易識別部６４に搬送される。簡易識別部６４では、透過型フォトセンサ１５により枚数計数を行うと共に、重送等の搬送エラーが発生しているか否かが判定される。そして、搬送エラーが発生していない場合には、紙幣を投出部６０へ搬送して投出する。一方、搬送エラーが発生している場合には、新券１００を一時保留部２０へ搬送して収納する。
【００８３】
図８（ａ）の例は、新券収納部５０に収納された新券１００を、一番上からＡ、Ｂ、Ｃ…とアルファベット順に区別した場合に、出金開始後のある時点での各紙幣の位置を示している。搬送エラーが検出されなかった新券Ａ及びＢは投出部６０へ投出されて、重送状態にあるために搬送エラーが検出された紙幣Ｃ及びＤは一時保留部２０に搬送されている。また、新券Ｅは簡易識別部６４を経て投出部６０へ搬送される途中の状態にあり、新券Ｆは新券収納部５０から簡易識別部６４へ搬送される途中の状態にある。この後、指定された量の新券１００を投出部６０へ投出して新券出金処理を完了すると、一時保留部２０に収納されている紙幣Ｃ及びＤの戻し入れが開始される。制御部７は、一時保留部２０を制御して、ドラム２０ａに巻き取られた新券Ｃ及びＤを搬送路１４ａへ繰り出す。続いて、制御部７は、新券Ｃ及びＤが、記憶部８に保存された新券判定条件８ａを満たすか否かを判定する。新券Ｃ及びＤが初めて一時保留部２０に搬送されていた場合には、制御部７は、新券判定条件８ａを満たす、すなわち新券として再利用可能であると判定して、新券Ｃ及びＤを新券収納部５０へ戻し入れる。図８（ｂ）は、こうして新券Ｃ及びＤが新券収納部５０へ戻し入れられた状態を示している。このように、有価媒体処理装置１では、重送等のエラーで一時保留部２０へ搬送された新券の戻し入れが行われると、最後に戻された新券が新券収納部５０の一番上に収納された状態となる。
【００８４】
そして、次の新券出金処理が行われた際に、新券収納部５０に収納された１枚目の新券Ｃが出金不可紙幣としてリジェクトされた場合には、一旦一時保留部２０に搬送された後、出金完了後に再び新券収納部５０へ戻される。戻された新券Ｃは、新券収納部５０内で、再び一番上に収納された状態となる。こうして、同じ紙幣について、繰り出し及び戻し入れの処理が何回も行われると、紙幣表面に繰り出しや搬送に利用されるローラ跡や汚れが付着して、新券としの利用に適さない状態となる。
【００８５】
例えば、新券判定条件８ａには、一時保留部２０への搬送回数が２回以下である紙幣は新券として再利用可能であるとの判定条件が設定される。制御部７は、新券収納部５０に収納された一番上の新券Ｃが一時保留部２０へ搬送される回数をカウントして、この回数が３回に達すると、新券Ｃは新券判定条件８ａを満たさないと判定する。新券判定条件８ａを満たさなくなった紙幣Ｃは、一時保留部２０から繰り出されて、損券収納部４２へ収納される。
【００８６】
このとき損券収納部４２へ搬送される紙幣は、新券としての利用には適さないものの、真券かつ正券として利用可能な新古券である。このため、制御部７は、損券収納部４２に新古券が収納されると、操作表示部９を介して利用者へこれを報知する。利用者は、この報知により、損券収納部４２に市場での利用が可能な新古券が収納されていることを認識する。そして、利用者は、例えば、この新古券を装置から回収して別の紙幣処理装置等で利用する。
【００８７】
損券収納部４２では、収納した紙幣を、収納順序に基づいて管理している。損券収納部４２内に新古券が収納されていることを認識した利用者が、操作表示部９により新古券の出金指示を行うと、損券収納部４２から新古券が繰り出されて投出部６０へ投出される。このとき、損券収納部４２で、損券等、投出対象外の紙幣が新古券よりも先に繰り出された場合には、これを一時保留部２０へ退避させた状態で、後続の新古券が投出部６０へ投出される。そして、新古券の投出を完了した後、一時保留部２０へ退避した紙幣を損券収納部４２へ戻し入れる処理が行われる。
【００８８】
なお、新古券を投出部６０へ投出する処理は、損券収納部４２への収納順序に基づいて行われる態様に限定されるものではなく、他の方法によって新古券を投出する態様であっても構わない。例えば、損券収納部４２の近傍には搬送路センサ６７が配置されているので、損券収納部４２に収納された新古券が連鎖等の状態にあることが分かっている場合には、損券収納部４２から繰り出された各紙幣の長さを計測して、新古券であるか否かを認識することができる。これにより、通常の紙幣より長い紙幣を連鎖等の状態にある新古券であると認識して投出部６０へ投出する。なお、搬送路センサ６７により搬送路方向の長さを計測できるので、破れ等により所定長さより短くなった紙幣等を認識して、これを投出部６０へ投出させることもできる。
【００８９】
また、損券収納部４２へ収納する前に、紙幣識別部１６により新古券の画像を取得して記憶部８に保存しておいて、損券収納部４２へ収納された紙幣の画像を操作表示部９へ表示して、投出部６０へ投出する新古券を選択する態様であってもよい。投出する新古券を、画像を目視確認しながら選択すれば、一部の新古券を収納したまま、所望の新古券のみを投出部６０へ投出させることができる。これにより、例えば、連鎖や重送状態にある新古券だけを投出させて、他の新古券は有価媒体処理装置１内で利用するといった対応も可能となる。
【００９０】
また、有価媒体処理装置１では新古券の収納先は自由に設定できるので、例えば、新古券の収納先を新券かつ正券が収納される収納部に設定すれば、連鎖や重送状態にある新古券だけを機外に投出させて、他の新古券を収納部に残し他の紙幣と同様に装置内で利用することができる。すなわち、新古券を、収納部の在高を構成する紙幣に含めて他の紙幣と同様に利用することができる。
【００９１】
また、新券判定条件ａを満たさない紙幣の収納先についても、テープ巻取方式の損券収納部４２に限定されるものではなく、集積方式の損券収納部４０等に収納する態様であっても構わない。この場合は、利用者が、損券収納部４０内の新古券を手作業で取り出して回収する。また、制御部７による報知についても、新券判定条件８ａを満たさない新古券が発生する度に毎回報知を行う態様の他、新古券の枚数が所定枚数に達した際に報知する態様であってもよいし、所定の時刻又は所定の曜日等に新古券の存在を報知する態様であっても構わない。
【００９２】
有価媒体処理装置１では、新券収納部５０から繰り出された１枚目の新券１００が連続してリジェクトされた回数をカウントすることにより、この新券１００が新券判定条件８ａを満たすか否かを判定することができる。新券出金処理が開始されると、制御部７は、簡易識別部６４によって出金不可紙幣、すなわちリジェクト紙幣と判定された紙幣の情報を記録しながら、一時保留部２０へ収納する。そして、新券出金処理が完了すると、制御部７は、一時保留部２０から紙幣を繰り出して新券判定条件８ａに関する判定処理を開始する。
【００９３】
図９は、制御部７によって行われる判定処理の流れを説明するフローチャートである。新券出金処理で、新券収納部５０から最初に繰り出された新券１００がリジェクト紙幣として一時保留部２０へ収納されていた場合には（ステップＳ１１；Ｙｅｓ）、制御部７は、リジェクト回数Ｎをインクリメントする（ステップＳ１２）。そして、リジェクト回数Ｎが、新券判定条件８ａで予め設定されている３回に達したか否か（Ｎ＝３であるか否か）を判定する（ステップＳ１３）。この結果、リジェクト回数が３回に達している場合には（ステップＳ１３；Ｙｅｓ）、一時保留部２０から最後に繰り出された紙幣、すなわち新券収納部５０から最初に繰り出された新券１００を、新券判定条件８ａを満たさないものとして、損券収納部４２等、所定の回収用収納部へ搬送して収納する（ステップＳ１４）。こうして、新券収納部５０に収納されていた一番上の新券１００が、新券として投出部６０に投出されず、かつ、新券収納部５０へ戻し入れられることなく回収用収納部に収納されると、制御部７は、リジェクト回数ＮをクリアしてＮ＝０として（ステップＳ１５）、処理を終了する。
【００９４】
一方、リジェクト回数Ｎが、３回に達していない場合には（ステップＳ１３；Ｎｏ）、新券収納部５０から最初に繰り出された新券１００が新券判定条件８ａを満たすものとして、一時保留部２０に収納されている全ての紙幣を新券収納部５０へ戻し入れて（ステップＳ２４）、処理を完了する。
【００９５】
新券出金処理で、新券収納部５０から最初に繰り出された新券１００がリジェクト紙幣として一時保留部２０へ収納されることなく投出部６０へ投出された場合には（ステップＳ１１；Ｎｏ）、制御部７は、リジェクト回数ＮをクリアしてＮ＝０とする（ステップＳ２１）。続いて、制御部７は、新券収納部５０から繰り出された２枚目以降の新券でリジェクトされたものがあるか否かを判定する（ステップＳ２２）。そして、２枚目以降にリジェクトされた紙幣があった場合には（ステップＳ２２；Ｙｅｓ）、リジェクト回数ＮをＮ＝１とする（ステップＳ２３）。そして、一時保留部２０に収納されている全ての紙幣を新券収納部５０へ戻し入れて（ステップＳ２４）、処理を完了する。リジェクト紙幣があると、戻入処理の完了後には、新券収納部５０の一番上には、リジェクトされた紙幣が収納された状態となるので、再び、この一番上の新券１００の監視を開始するものである。
【００９６】
一方、新券出金処理で、リジェクトされた新券１００が存在しない場合には（ステップＳ２２；Ｎｏ）、リジェクト回数ＮがＮ＝０のまま、処理を完了する。
【００９７】
図９に示す処理を行うことにより、新券収納部５０の一番上に収納されている新券１００が、新券出金処理を行う度に連続してリジェクトされた場合には、リジェクト回数Ｎをインクリメントしながらリジェクト回数をカウントすることができる。そして、１枚目の紙幣のリジェクト回数が３回に達すると、これを新券収納部５０へ戻すことなく所定の回収紙幣用収納部へ収納することができる。また、リジェクト回数が３回に達するまでに、１枚目の新券１００が投出部６０へ投出された場合には、リジェクト回数Ｎをクリアすることができる。また、１枚目の紙幣が投出された新券出金処理で２枚目以降の新券１０１の中にリジェクト紙幣があった場合や、１枚目の紙幣が投出された新券出金処理を完了してその後に行われた新券出金処理でリジェクト紙幣があった場合に、リジェクト回数をＮ＝１として再びリジェクト回数のカウントを開始することができる。
【００９８】
なお、新券判定条件８ａにおけるリジェクト回数を３回としたが、これは一例であって設定変更可能となっている。新券収納部５０及び一時保留部２０の収納繰出機構や、搬送部１４の構造等によって、新券としての利用に適さない状態となる繰り出し及び戻し入れの回数が異なるので、有価媒体処理装置１の構成に応じて回数が設定される。
【００９９】
図２に示す有価媒体処理装置１では、新券収納部５０から繰り出された１枚目の新券１００が、一時保留部２０に収納された後、新券収納部５０に戻し入れた際には再び新券収納部５０の一番上に収納されることを利用して、１枚目の新券１００を監視して、繰り出し及び戻し入れ回数が所定回数に達した場合に、新券判定条件８ａを満たさないものと判定する。そして、新券１００として再利用されないように所定収納部へ回収することができる。この処理は、簡易識別部６４により搬送エラーを判定して、各新券出金処理で最初に繰り出された新券１００のリジェクト回数をカウントするだけで実現可能であり、簡易な構造及び簡単な処理で新券１００としての利用に適さない紙幣を新券出金処理の対象から除外することができる。
【０１００】
なお、本実施形態では出金処理時に新券１００の状態を管理する例を説明したが、対象とする貨幣処理がこれに限定されるものではない。例えば、新券１００の記番号を利用すれば、精査処理時にも同様の処理を行うことができる。具体的には、精査処理時に、搬送エラーが発生した新券１００の記番号を認識して、該記番号と搬送エラー回数とを関連付けて記憶部８で管理する。そして、搬送エラー回数が予め設定された所定回数に達した場合には、この記番号を有する紙幣は新券判定条件を満たさないものとして、新券収納部５０以外の所定収納部に収納する。また、搬送エラーの回数をカウントする方法についても、出金処理時と精査処理時とを区別してカウントする態様に限らず、精査処理時の搬送エラー回数と出金処理時の搬送エラー回数との合計回数に基づいて新券判定条件を満たすか否かを判定してもよい。
【０１０１】
上述してきたように、本実施形態に係る有価媒体処理装置１によれば、新券出金処理を行う際に、新券収納部５、５０から繰り出された新券１００が出金不可紙幣としてリジェクトされた場合には一時保留部２、２０へ一時的に収納して、新券出金処理が完了した後に、一時保留部２、２０から繰り出した紙幣の状態に応じて、新券として利用可能な紙幣のみを新券収納部５、５０に戻し入れて再利用することができる。一時保留部２、２０から繰り出された紙幣のうち新券として再利用できないと判定された紙幣は、新券収納部５、５０以外の所定収納部へ搬送されるので、汚れ等がある紙幣が新券として出金されることを防止することができる。また、新券としての利用には適さないものの市場流通可能な紙幣が所定収納部へ収納されたことが利用者に報知されるので、利用者は、この紙幣を正券として再利用することができる。
【０１０２】
また、有価媒体処理装置１では、繰り出し及び戻し入れの回数を新券収納部５、５０で一番上に収納された新券１００に注目して監視すればよいので、簡易な構成の識別装置で簡易な処理を行うことにより、新券１００として再利用可能であるか否かを判定することができる。また、有価媒体処理装置１が、新券１００の記番号を認識可能である場合には、繰り出し及び戻し入れの回数を、各新券１００の記番号と関連付けて管理することができる。また、有価媒体処理装置１が、新券１００の画像を取得して汚れを判定できる場合には、各新券１００の汚れの有無及び程度を判定して、新券１００として利用可能であるか否かを判定することができる。
【産業上の利用可能性】
【０１０３】
以上のように、本発明は、新券出金処理機能を有する有価媒体処理装置で、リジェクトされた新券を再利用しながら、汚れ等のない新券のみを出金させるために有用な技術である。
【符号の説明】
【０１０４】
１  有価媒体処理装置
２  一時保留部
３  識別部
４  搬送路
５、５０  新券収納部
６  出金口
７  制御部
８  記憶部
９  操作表示部
１０  投入部
１２  繰出機構
１４  紙幣搬送部
１５  透過型フォトセンサ
１６  紙幣識別部
１８  扉
２０  一時保留部
３０  特定有価証券収納部
４０、４２  損券収納部
４１  紙葉類収納部
６０  投出部
６２  羽根車
６４  簡易識別部
６５  巻癖補正ユニット
６６  分離ローラ
６７、６８ａ、６８ｂ  搬送路センサ
【図１】
2014182484.tif 000003
【図２】
2014182484.tif 000004
【図３】
2014182484.tif 000005
【図４】
2014182484.tif 000006
【図５】
2014182484.tif 000007
【図６】
2014182484.tif 000008
【図７】
2014182484.tif 000009
【図８】
2014182484.tif 000010
【図９】
2014182484.tif 000011